(57)【要約】【課題】ディスク用情報記録再生装置のディスクに付着したゴミによる傷付きを防止し、再生等を行う基板の固定を確実に行うと共に、ディスクの二重挿入防止を実現する。【解決手段】ディスク挿入口に、駆動ローラと、駆動ローラに当接する向きにばね付勢された従動ローラとを設け、両ローラ間にディスクを挟んで搬送する。スライドレバーとロックレバーと移動板とによる複数の可動ロック部材により可動基板の前後左右の少なくとも三個所に対応する部分で別個に固定する。ディスクが挿入されたら駆動ローラを従動ローラから離反させると共に、駆動ローラと共に変位するガイド板を設け、ガイド板の変位により挿入防止部材を挿入口に横切るように変位させる。【選択図】図４
2010272180.tif 000002
【特許請求の範囲】
【請求項１】
情報記録用のディスクをディスク挿入口とディスク収容位置との間で搬送する搬送手段と、前記ディスク収容位置にある前記ディスクとの間で情報の授受を行う記録再生手段と、前記ディスク挿入口を備えると共に前記搬送手段と前記記録再生手段とを内蔵する筐体とを有し、
前記搬送手段が、ローラ駆動手段により駆動される駆動ローラと、前記駆動ローラとの間に前記ディスクを両面から挟み込むように設けられた従動ローラとを有し、
前記従動ローラが、前記ディスクの対応する面に対して接離自在に設けられていると共に前記駆動ローラに当接する方向にばね付勢されていることを特徴とするディスク用情報記録再生装置。
【請求項２】
情報記録用のディスクをディスク挿入口とディスク収容位置との間で搬送する搬送手段と、前記ディスク収容位置にある前記ディスクとの間で情報の授受を行う記録再生手段と、前記ディスク挿入口を備えると共に前記搬送手段と前記記録再生手段とを内蔵する筐体とを有し、
前記記録再生手段が、前記筐体に対して変位可能に支持された可動基板を有し、
前記筐体と前記基板との間に、前記可動基板を前記筐体に対して前後・左右・上下に選択的に固定する選択的固定手段が設けられ、
前記選択的固定手段は、前記可動基板に設けられた複数の係止部と、前記複数の係止部に対してそれぞれ別個に係合及び離脱可能に変位し得るように前記筐体に設けられた複数の可動ロック部材とを有し、
前記複数の可動ロック部材が、前記複数の係止部の対応するものに対して前記可動基板の前後左右の少なくとも三個所に対応する部分で別個に固定するように配設されていることを特徴とするディスク用情報記録再生装置。
【請求項３】
情報記録用のディスクをディスク挿入口とディスク収容位置との間で搬送する搬送手段と、前記ディスク収容位置にある前記ディスクとの間で情報の授受を行う記録再生手段と、前記ディスク挿入口を備えると共に前記搬送手段と前記記録再生手段とを内蔵する筐体とを有し、
前記搬送手段が、ローラ駆動手段により駆動される駆動ローラと、前記駆動ローラとの間に前記ディスクを両面から挟み込むように設けられた従動ローラと、前記両ローラのいずれか一方を支持しかつ他方に相対的に接離し得るように前記筐体に対して揺動自在に設けられた揺動レバーと、前記挿入口から挿入された前記ディスクを前記駆動ローラと前記従動ローラとの間にガイドするように形成されかつ前記揺動レバーに一体的に設けられたガイド板とを有し、
前記挿入口の近傍に、前記ディスクを挿入可能にする退避位置と前記ディスクの挿入を阻止する遮蔽位置との２位置間で前記挿入口を横切る向きに変位し得ると共に当該退避位置に向けてばね付勢されている挿入防止部材が設けられ、
前記ディスクが前記ディスク収容位置に搬送されることにより、前記両ローラが相対的に離れる向きに前記揺動レバーが変位し、当該変位により前記ガイド部材が前記挿入防止部材に係合し、当該係合状態で前記ガイド部材が変位することにより前記挿入防止部材が前記遮蔽位置まで変位するようにされていることを特徴とするディスク用情報記録再生装置。
【発明の詳細な説明】
【技術分野】
【０００１】
本発明は、ＣＤやＤＶＤなどの光ディスクの読取りまたは書込みを行うためのディスク用情報記録再生装置に関するものである。
【背景技術】
【０００２】
従来、ディスク用情報記録再生装置として、ＣＤ（Compact Disc）やＤＶＤ（Digital Versatile Disc）などの光ディスクを対象として、情報の読み込み（再生）または情報の書き込み（録音・録画）を行うものがある。そのようなディスク用情報記録再生装置において、例えば自動車に搭載して使用するようにしたものがある（例えば特許文献１参照）。
【０００３】
その場合には、家の中で使用される据え置き型とは異なる過酷な環境に対する種々の対策が必要であり、例えばディスクの表面の傷付き防止のために、ディスクを両面から挟んで搬送するための一対のローラを、軸線方向に２分割すると共に中心部寄りで内径が大きくなるテーパ形状の内周面を有するように形成して、ディスクの外周縁のみにローラが接触するようにしたものがある（例えば特許文献２）。
【０００４】
また、走行中の振動に対してできるだけ安定した再生を行うべく、ターンテーブル及びピックアップを設けた基板（可動板）を筐体（シャーシ）にダンパを介して取り付けると共に、基板の左右両側にそれぞれ対をなすこれら係合板を、筐体に設けた各移動板の各係合ピン等と係合させることにより基板を上下・左右・前後に対して固定するようにしたものがある（例えば特許文献３）
【０００５】
また、走行中にディスクの出し入れを行う場合のディスクの二重挿入を防止するために、ディスクが収容位置（再生位置）に移動した時にディスクを搬送する一対のローラの一方（可動ローラ）を退避位置に移動させて、その可動ローラを支持する揺動部材に設けた係合片により挿入口の開閉扉をロックするようにしたものがある（例えば特許文献４参照）。
【先行技術文献】
【特許文献】
【０００６】
【特許文献１】特開昭６３−２９８７５５号公報
【特許文献２】特許第３４６４７３５号公報
【特許文献３】特許第２８７７５６２号公報
【特許文献４】実開平２−４２２４０号公報
【発明の概要】
【発明が解決しようとする課題】
【０００７】
しかしながら、上記特許文献２のものでは、ディスクの中央部分ではゴミをローラにより強く押し付けて傷付けてしまうことを防止できるが、ディスクの縁部分ではローラが接触しており、その部分にゴミが付着していた場合には傷付きを防止することができないという問題がある。
【０００８】
また、上記特許文献３のものでは、基板の左右両側での係合により固定するようにしており、基板に対して左右の２個所のみで固定していることになり、そのような固定では基板の固定が不安定になる虞がある。特に、薄い基板は撓み易いため、左右方向中央部分の剛性を高めるために基板を厚くしたりすると重量増となる等の問題がある。
【０００９】
また、上記特許文献４のものでは、組み付け誤差等により、開閉扉の枢着軸がずれたりした場合には、ディスクの挿入による開閉扉を開く方向の力が揺動部材を押し下げる向きに作用することが考えられ、その場合にはディスクを挿入することができてしまうという問題があった。
【課題を解決するための手段】
【００１０】
このような課題を解決して、ディスク用情報記録再生装置を車載用として適用した場合でも、ディスクに付着したゴミによる傷付きを防止し、再生等を行う基板の固定を確実に行うと共に、ディスクの二重挿入防止を実現するために、本発明に於いては、情報記録用のディスクをディスク挿入口とディスク収容位置との間で搬送する搬送手段と、前記ディスク収容位置にある前記ディスクとの間で情報の授受を行う記録再生手段と、前記ディスク挿入口を備えると共に前記搬送手段と前記記録再生手段とを内蔵する筐体とを有し、前記搬送手段が、ローラ駆動手段により駆動される駆動ローラと、前記駆動ローラとの間に前記ディスクを両面から挟み込むように設けられた従動ローラとを有し、前記従動ローラが、前記ディスクの対応する面に対して接離自在に設けられていると共に前記駆動ローラに当接する方向にばね付勢されているものとした。
【００１１】
これによれば、駆動ローラと従動ローラとによりディスクを挟んで搬送し、ディスクにゴミが付着していてもローラが回転することから、ディスク表面での摩擦力は大きくならず、こすることによる傷付きが生じることがない。また、従動ローラはディスクに対して接離自在であり、ディスク表面上のゴミに対して容易に逃げる方向に変位可能であり、ごみをこすってしまうことがない。
【００１２】
また、情報記録用のディスクをディスク挿入口とディスク収容位置との間で搬送する搬送手段と、前記ディスク収容位置にある前記ディスクとの間で情報の授受を行う記録再生手段と、前記ディスク挿入口を備えると共に前記搬送手段と前記記録再生手段とを内蔵する筐体とを有し、前記記録再生手段が、前記筐体に対して変位可能に支持された基板を有し、前記筐体と前記基板との間に、前記基板を前記筐体に対して前後・左右・上下に選択的に固定する選択的固定手段が設けられ、前記選択的固定手段は、前記基板に設けられた複数の係止部と、前記複数の係止部に対してそれぞれ別個に係合及び離脱可能に変位し得るように前記筐体に設けられた複数の可動ロック部材とを有し、前記複数の可動ロック部材が、前記複数の係止部の対応するものに対して前記基板の前後左右の少なくとも三個所に対応する部分で別個に固定するように配設されているものとした。
【００１３】
これによれば、基板が少なくとも３方向で筐体に固定されることから、基板を回りから包み込むようにして固定することができ、確実に固定し得る。
【００１４】
また、前記搬送手段が、ローラ駆動手段により駆動される駆動ローラと、前記駆動ローラとの間に前記ディスクを両面から挟み込むように設けられた従動ローラと、前記両ローラのいずれか一方を支持しかつ他方に相対的に接離し得るように前記筐体に対して揺動自在に設けられた揺動レバーと、前記挿入口から挿入された前記ディスクを前記駆動ローラと前記従動ローラとの間にガイドするように形成されかつ前記揺動レバーに一体的に設けられたガイド板とを有し、前記挿入口の近傍に、前記ディスクを挿入可能にする退避位置と前記ディスクの挿入を阻止する遮蔽位置との２位置間で前記挿入口を横切る向きに変位し得ると共に当該退避位置に向けてばね付勢されている挿入防止部材が設けられ、前記ディスクが前記ディスク収容位置に搬送されることにより、前記両ローラが相対的に離れる向きに前記揺動レバーが変位し、当該変位により前記ガイド部材が前記挿入防止部材に係合し、当該係合状態で前記ガイド部材が変位することにより前記挿入防止部材が前記遮蔽位置まで変位するようにされているものとした。
【００１５】
これによれば、ディスクの挿入を防止する挿入防止部材がディスク挿入口を横切る向きに変位するように設けられており、遮蔽位置に挿入防止部材がある状態でディスクを挿入しようとした場合には、ディスク挿入方向は挿入防止部材の変位方向に交差する向きとなり、ディスクの挿入力で挿入防止部材を退避位置まで戻すことはできない。
【発明の効果】
【００１６】
このように本発明によれば、ディスクに付着したゴミによる傷付きを防止し、再生等を行う基板の固定を確実に行うと共に、ディスクの二重挿入を防止することができる。
【図面の簡単な説明】
【００１７】
【図１】本発明が適用されたディスク駆動装置の外観全体を示す斜視図である。
【図２】ディスク駆動装置の上部カバーを外した状態の斜視図である。
【図３】上部カバーに取り付けられている主要な部品類を配置した状態の斜視図である。
【図４】図３の一部を取り除いて内部構造を示した状態の斜視図である。
【図５】シャーシに組み付けられる主要部品を示す平面図である。
【図６】（ａ）は駆動・従動ローラによるディスク搬送可能な状態を示す正面図であり、（ｂ）は従動ローラの支持構造を示す（ａ）におけるVIｂ−VIｂ線に沿って見た要部断面図であり、（ｃ）は駆動ローラが従動ローラから離反した状態を示す（ａ）に対応する図である。
【図７】ディスクが収容位置にあり再生される状態を示す斜視図である。
【図８】可動基板及びクランプ装置を上側から見た斜視図である。
【図９】可動基板及び再生装置を下側から見た斜視図である。
【図１０】本発明に基づく二重挿入防止装置を示す要部斜視図である。
【図１１】可動基板のロック構造を説明する要部平面図である。
【図１２】（ａ）は第１・第２スライドレバーの待機状態を示す平面図であり、（ｂ）は（ａ）の矢印XIIｂ−XIIｂ線に沿って見た断面図であり、（ｃ）はロック部材によるシャーシに対するロック状態を示す要部平面図である。
【図１３】（ａ）は第１スライドレバーが前側に移動した状態を示す図１２（ａ）に対応する図であり、（ｂ）は（ａ）の矢印XIIIｂ−XIIIｂ線に沿って見た断面図である。
【図１４】（ａ）は二重挿入防止装置の挿入可能状態を示す正面図であり、（ｂ）は挿入防止状態を示す図である。
【発明を実施するための形態】
【００１８】
以下、本発明の実施の形態を、図面を参照しながら説明する。図１は本発明が適用されたディスク用情報記録再生装置としてディスク駆動装置１の外観全体を示す斜視図である。
【００１９】
図１に示されるように、ディスク駆動装置１は、金属板を四辺で起立方向に直角に折り曲げて上面が開放された矩形箱状のケーシングとなるシャーシ２と、シャーシ２の上面（開放面）を覆う上部カバー３とにより形成された筐体を有する。シャーシ２の前面パネル２ａには、上部カバー３との間に形成されるスロット形状のディスク挿入口４が設けられている。ディスク挿入口４は、直径１２０ｍｍのディスク（ＣＤやＤＶＤ）５の挿入に対応可能な大きさに形成されている。なお、以下の説明では、ディスク挿入口４が外方に臨む方向を前側とし、上部カバー３が設けられた側を上側とし、前後・左右・上下の各方向を図の矢印で表される方向として説明するが、ディスク駆動装置１の設置方向を定めるものではない。
【００２０】
次に、図１のディスク駆動装置１の上部カバー３を外した状態の斜視図である図２、上部カバー３及びシャーシ２を外し、かつ上部カバー３に取り付けられている主要な部品類を配置した状態の斜視図である図３、図３の一部を取り除いて内部構造を示した状態の斜視図である図４を参照して、ディスク駆動装置１の内部構成について説明する。
【００２１】
上部カバー３の前側部分の裏面には皿状ブラケット６が取り付けられるようになっており、その皿状ブラケット６の上部カバー３側には、左右方向に回動変位するように枢支された一対の扇形部材７が設けられている。それら一対の扇形部材７には、ディスク挿入口４の左右方向に所定量離れて配置された一対のピン８がそれぞれ垂下状態に固設されている。一対の扇形部材７が互いに近付く向きにばね付勢されていると共に、扇形部材７と一体のピン８が皿状ブラケット６に一体成形されたストッパ６ａにばね付勢力に抗して当接することにより、一対のピン８の待機位置が決められている。
【００２２】
シャーシ２のディスク挿入口４近傍には、左右方向に延在する駆動ローラ１１と、駆動ローラ１１の上段側にて同じ方向に延在する従動ローラ１２とが配置されている。駆動ローラ１１は、その軸線方向両端部を左右一対の支持アーム１３により回動自在に軸支されたローラ軸と、ローラ軸の外周面に固着されかつ軸線方向中間部分で分断された左右対称形の例えばゴム製円筒状外被とにより形成されている。なお、一対の支持アーム１３は、その長手方向の中間部の枢支部１３ａをシャーシ２の左右の側壁により枢支されている。
【００２３】
駆動ローラ１１は、シャーシ２の底面に固設された電動モータ１４によりギア装置を介して駆動されるようになっている。ここで、図５を併せて参照してギア装置の構成について説明する。電動モータ１４の駆動軸にはウォーム１５ａが設けられており、ウォーム１５ａには大径のホイール１５ｂが噛み合わされている。ホイール１５ｂには小径ギア１５ｃが同軸かつ一体的に設けられており、小径ギア１５ｃには円筒状のギア１５ｄが噛み合わされている。小径ギア１５ｃとギア１５ｄとは、はすば歯車構造に形成されている。ギア１５ｄには同軸に平歯車形状のギア１５ｅが同軸かつ一体的に設けられており、ギア１５ｅにはアイドルギア１５ｆを介してギア１５ｇが噛み合わされている。このギア１５ｇが駆動ローラ１１の一方の軸線方向端に同軸に固設されており、このようにして、電動モータ１４の駆動力がギア装置を介して駆動ローラ１１に伝達されるようになっている。
【００２４】
なお、支持アーム１３は、駆動ローラ１１が従動ローラ１２に当接し得る位置と下側に所定量離間した退避位置との２位置間で変位可能になるように、上記した枢支部１３ａを支点として所定量揺動し得る。それにより、駆動ローラ１１すなわち支持アーム１３と一体のギア１５ｇとギア１５ｆとは、噛み合い位置と離間位置の２位置状態になる。
【００２５】
また、上記した一対の扇形部材７の一方の待機位置からの回動変位開始を検知するモータ起動スイッチ１６ａと、ディスク５の挿入により一対のピン８がディスク５の直径まで押し拡げられたことを検知するモータ停止スイッチ１６ｂとが、皿状ブラケット６の各所定位置に配設されている。
（ディスク搬送構造）
【００２６】
ディスク５をディスク挿入口４から挿入して一対のピン８にディスク５の挿入方向の縁が当たり、さらにディスク５を挿入していくことにより一対のピン８が押し拡げられて、モータ起動スイッチ１６ａがオンする。それにより電動モータ１４が駆動して、上記したギア装置を介して駆動ローラ１１がディスク５を内部に搬送する向きに回転する。ディスク５を挿入していき、ディスク５の挿入方向端部が駆動ローラ１１と従動ローラ１２との間に差し込まれると、両ローラ１１・１２でディスク５を挟みつつ搬送することができる。
【００２７】
ここで、図６（ａ）・（ｂ）・（ｃ）を参照して、従動ローラ１２の支持構造について説明する。従動ローラ１２も、上記した駆動ローラ１１と同様に左右方向に延在しかつ左右両端部で枢支されたローラ軸１２ａと、ローラ軸の外周面に固着されかつ軸線方向中間部分で分断された左右対称形の例えばゴム製円筒状外被とにより形成されている。ローラ軸１２ａの軸線方向両端部は上記皿状ブラケット６に固設された左右一対のガイド片１７により回動自在に支持されている。
【００２８】
ローラ軸１２ａの軸線方向両端部は、図６（ｂ）に示されるように、ガイド片１７に形成された上下方向に延在するガイドスロット１７ａを横切り、かつガイドスロット１７ａにより上下方向に変位可能にガイドされていると共に、基端部を皿状ブラケット６に支持されたトーションバネ１８の遊端部により下側に向けてばね付勢されている。これにより、従動ローラ１２は駆動ローラ１１に対して当接する方向にトーションバネ１８により常時ばね付勢され、そのばね付勢力に抗して駆動ローラ１１から離反する向きに変位可能である。
【００２９】
このようにして駆動ローラ１１と従動ローラ１２とを有する搬送手段が構成されている。ディスク５の挿入前は図６（ａ）の状態であり、上記したように両ローラ１１・１２間にディスク５が挿入され、駆動ローラ１１が電動モータ１４により駆動された場合には、トーションバネ１８のばね力により両ローラ１１・１２間に挟まれた状態でディスク５が搬送される。従動ローラ１２はディスク５の移動に同期して回転し得ると共に、トーションバネ１８のばね力に抗して従動ローラ１２がディスク５の面から逃げるように変位し得るため、ディスク表面にゴミが付着していた場合でも、例えば従来例の固定ガイドと駆動ローラとの間にディスクを通すもののようにゴミをこすり付けてディスク表面を傷付けてしまうことがない。また、ディスク５に貼着されているラベルの種類によっては摩擦が生じて、ディスクの挿入・脱出に支障が生じるのに対して、ゴミ付着による摩擦の増大がないので、ディスク５の挿入・脱出に影響がない。
【００３０】
ディスク５は挿入されると収容位置（再生位置）まで搬送され、図６（ｃ）及び図７の状態になる。ディスク５が収容位置に至ると後記するように支持アーム１３が駆動ローラ１１の支持側を下げるように揺動し、図６（ｃ）に示されるように従動ローラ１２から離反する。図７の状態で、ディスク５は、クランプ装置により回転自在に保持された状態でモータ駆動されて回転し、公知のピックアップ等の再生装置により再生される。
（クランプ構造）
【００３１】
このクランプ装置によるディスククランプ構造は公知のものと同様であって良く、そのクランプ構造は、図８に示される可動基板２１に搭載されている。可動基板２１の下側となる裏面には、３個所に配置された３本のピン２１ａがそれぞれ垂下方向に立設されている。また、図５に示されるようにシャーシ２の底面には各ピン２１ａに対応する位置に３つのダンパ２２が配設されている。３つのダンパ２２により各ピン２１ａが上下方向に変位自在に支持され、可動基板２１は各ピン２１ａを介してシャーシ２に対して浮動状態に支持されるようになっている。
【００３２】
可動基板２１の後側部分の上方には、左右方向に長い板状のクランプアーム２３が配置されている。可動基板２１の後部の左右両端部には互いに同軸に対向する左右一対の枢軸２１ｂが設けられており、クランプアーム２３は、可動基板２１の上面に対して起立倒伏する向きに回動するように一対の枢軸２１ｂにより支持されている。クランプアーム２３の前側端部の中央部には、円板状のクランプ板２３ａが回転可能に設けられている。
【００３３】
可動基板２１の表面側の中央部分にはクランプ板２３ａに対向するターンテーブル２４が配置されている。ターンテーブル２４は、中心部にディスク５の中心孔に所定の公差をもって突入し得る突状ボス部（図示せず）を有し、図９に示されるように、可動基板２１の裏面側に配設された扁平モータ２５のモータ軸に固設されている。また、可動基板２１の裏面側には、ディスク５を再生するためのピックアップ２６と、ピックアップ２６をトラッキング方向に駆動するためのモータ２７及びリニア駆動ギア装置２８とが配設されている。
【００３４】
クランプアーム２３の左右方向一端部（図示例では右側）にはシャーシ２の底面側に曲折されたアーム片２３ｂが形成されている。アーム片２３ｂとシャーシ２との間にばね２９が架け渡されており、そのばね２９によりクランプアーム２３は可動基板２１側に倒伏する向きにばね付勢されており、そのばね付勢力によりターンテーブル２４とクランプ板２３ａとの間にディスク５を所定の押圧力で挟んで保持し得る。ディスク５の搬送時には、ディスク５が移動し得るように、クランプアーム２３は可動基板２１に対して上記ばね付勢力に抗して離反する向きに回動し、ターンテーブル２４とクランプ板２３ａとの間には所定の隙間ができるようにされている。
【００３５】
ディスク５の再生時には、上記したようにディスク５をターンテーブル２４とクランプ板２３ａとの間に挟んだ状態で保持し、ディスク５を回転させると共にピックアップ２６によりディスク情報を読み取るが、外部からの振動の影響を回避し得るように可動基板２１はシャーシ２に対して浮動状態にする。また、ディスク５を収容位置に搬送する場合にはターンテーブル２４と整合させる必要があるため、可動基板２１を固定しておく。
（可動基板のロック／解除構造）
【００３６】
このように、ディスク５の各状態に対して各機構を好適に変位させる必要があり、その構造について以下に説明する。図５に示されるように、シャーシ２の図における右側には、前後方向にスライド可能な第１スライドレバー３１と、第１スライドレバー３１を上面に載置するように積層状態に設けられかつ前後方向にスライド可能な第２スライドレバー３２とが配置されている。シャーシ２の前側には、左右方向にスライド可能な第１ロックレバー３３が配置され、シャーシ２の後側には、左右方向にスライド可能な第２ロックレバー３４が配置されている。さらに、シャーシ２の左側には、前後方向にスライド可能な移動板３５が配置されている。これら各スライドレバー３１・３２と、各ロックレバー３３・３４と、移動板３５とにより複数の可動ロック部材が設けられている。
【００３７】
なお、第１スライドレバー３１は第２スライドレバー３２に対して相対的にスライドし得るようにされているが、他の各レバー３２〜３４および移動板３５は、シャーシ２に対して上記したそれぞれのスライド方向にスライドし得るようにされており、例えばスロットとピンとの組み合わせにより所定方向にスライドするようにされていて良い。第１スライドレバー３１は、第２スライドレバー３２に立設された複数の係合爪により同一方向（前後方向）にスライド可能に支持されていると共に、第２スライドレバー３２との間に介装された圧縮コイルばね３７により第２スライドレバー３２に対して相対的に後側にばね付勢されている。
【００３８】
第１スライドレバー３１の前側端部には前後方向に延在するラック軸部３１ａが形成されている。そのラック軸部３１ａの延長線上には、２段重ね形状の大小径ギア３６ａ・３６ｂの小径ギア３６ｂが噛み合い可能に配設されている。図５では、ラック軸部３１ａと小径ギア３６ｂとが噛み合っていない状態が示されているが、図の矢印Ａに示される向きに第１スライドレバー３１が変位することによりラック軸部３１ａと小径ギア３６ｂとが噛み合う。
【００３９】
大径ギア３６ａは、上記したホイール１５ｂと小径ギア１５ｃとの間に同軸に設けられた中間ギア３６ｃと、その中間ギア３６ｃに噛み合わされたアイドルギア群３６ｄとを介して、電動モータ１４により回転駆動されるようになっている。
【００４０】
また、第１スライドレバー３１の後端部分の上方には、上部カバー３から垂下する軸線回りに回動自在に枢支されるトリガレバー３８が配設されている。トリガレバー３８には、第１スライドレバー３１の後端部に立設状態に設けられた突部３１ｂに対して第１スライドレバー３１を前側にスライドさせる向きに係合する係合片３８ａが形成されている。トリガレバー３８の係合片３８ａとは相反する側の他端部３８ｂは、挿入方向に搬送されてくるディスク５の周縁部における挿入方向端と当接するように、ディスク搬送面を横切るように形成されている。
【００４１】
なお、トリガレバー３８は、ばね３９により係合片３８ａが突部３１ｂに当接する向きに回転するようにばね付勢されている。第１スライドレバー３１は、第２スライドレバー３２に対して上記したように圧縮コイルばね３７により後方にばね付勢されており、その圧縮コイルばね３７のばね付勢力の方がばね３９によるばね付勢力よりも強くされている。
【００４２】
ディスク５が上記したように両ローラ１１・１２により収容位置に向けて搬送されてくると、その挿入方向周縁部の一部がトリガレバー３８の他端部３８ｂに図１１の矢印Ｂにより示される向きに係合し、さらに移動するディスク５によりトリガレバー３８が図１１の矢印Ｃにより示される向きに回動し、それにより係合片３８ａが突部３１ｂを押圧して、第１スライドレバー３１が圧縮コイルばね３７のばね付勢力に抗して前側（矢印Ａ）へ移動する。
【００４３】
第１スライドレバー３１の移動によりラック軸部３１ａが小径ギア３６ｂに噛み合う。第１スライドレバー３１は、電動モータ１４により駆動されている小径ギア３６ｂの回転力により、トリガレバー３８の押圧力によらず、前側へさらに移動する。
【００４４】
第１スライドレバー３１と第２スライドレバー３２との間には、図１２（ａ）・（ｂ）に示されるように平板状のロック部材４１が配置されている。ロック部材４１の長手方向一端部は、第２スライドレバー３２に形成された突軸３２ａにより回動自在に枢支されている。突軸３２ａは、第１スライドレバー３１に設けられた所定長の前後方向スロット３１ｄによりガイドされる。またロック部材４１の長手方向他端部にはかしめにより固設された上下方向ピン４２が設けられており、上下方向ピン４２の上側ピン部は、第１スライドレバー３１に設けられたカム溝３１ｃによりガイドされ、上下方向ピン４２の下側ピン部は、図１２（ｃ）に示されるように、シャーシ２に設けられた係脱カムスロット２ｂによりガイドされるようになっている。
【００４５】
係脱カムスロット２ｂは、上側から見た平面視の図１２（ｃ）に示されるように、両スライドレバー３１・３２のスライド方向である前後方向部分と、その前後方向部分の後端から略直角に曲げられたストッパ部分とからなる。図１２に示される両スライドレバー３１・３２が共に最後方端位置に位置する状態で、上下方向ピン４２の下側ピン部は係脱カムスロット２ｂのストッパ部分に係合しており、その状態では両スライドレバー３１・３２の前側方向へのスライドが止められている。
【００４６】
また、カム溝３１ｃは、上記上下方向ピン４２の下側ピン部が係脱カムスロット２ｂのストッパ部分に係合している状態の上側ピン部を受容する係止保持部分と、第１スライドレバー３１の前側スライドに伴って上下方向ピン４２の下側ピン部が係脱カムスロット２ｂの前後方向部分に移動させ、後側スライドでは下側ピン部が係脱カムスロット２ｂのストッパ部分に向けて移動させるようにガイドする傾斜ガイド部分とからなる。
【００４７】
第２スライドレバー３２の前後方向中間位置には、クランプアーム２３の下降を阻止するべくアーム片２３ｂの延出端部２３ｃを下側から支える突起片３２ｂが設けられている（図１０参照）。第２スライドレバー３２が前側に移動することにより突起片３２ｂによるアーム片２３ｂの延出端部２３ｃの支持が外れ、クランプアーム２３は、ばね２９のばね付勢力により下側に倒伏する向きに変位して、ディスク５をターンテーブル２４に対して押さえ付けるようになる。
【００４８】
また、第２スライドレバー３２の前側端部には、第１ロックレバー３３の右側端部に設けられたピン３３ａをガイドするガイドスロット３２ｃが設けられている。ガイドスロット３２ｃは、第１ロックレバー３３を、第２スライドレバー３２の前側スライドに応じて左側にスライドさせかつ最左端位置に保持し得ると共に、後側スライドに応じて右側にスライドさせる傾斜ガイド部分を有するように形成されている。
【００４９】
第１ロックレバー３３の左側端部にはピン３３ｂが設けられており、移動板３５の前側部分には、ピン３３ｂを相対的にガイドするガイドスロット３５ａが設けられている。ガイドスロット３５ａは、移動板３５を、第１ロックレバー３３の左側スライドに応じて前側にスライドさせ、第１ロックレバー３３の右側スライドに応じて後側へスライドさせる傾斜ガイド部分を有するように形成されている。
【００５０】
また、シャーシ２の後側に配設されている第２ロックレバー３４には、第２スライドレバー３２の後端部に設けられたガイドスロット３２ｄによりガイドされるピン３４ａが設けられている。ガイドスロット３２ｄは、第２ロックレバー３４を、第２スライドレバー３２の前側スライドに応じて右側へスライドさせ、第２スライドレバー３２の後側スライドに応じて左側へスライドさせる傾斜ガイド部分を有するように形成されている。
【００５１】
このようにして、各スライドレバー３１・３２と、各ロックレバー３３・３４と、移動板３５とが連携してスライドするようにされている。そして、両スライドレバー３１・３２と移動板３５とがシャーシ２の左右にてそれぞれ前後方向にスライドし、両ロックレバー３３・３４がシャーシ２の前後にてそれぞれ左右方向にスライドする。それらスライドにより、可動基板２１の前後左右の各辺のそれぞれ適所が第２スライドレバー３２と各ロックレバー３３・３４と移動板３５とそれぞれ係合／離脱するようになっている。
【００５２】
なお、第２スライドレバー３２には支持アーム１３の後端部に設けられたピン１３ｂをガイドするガイドスロット３２ｅが設けられている（図１０参照）。ガイドスロット３２ｅは、枢支部１３ａ回りに揺動運動し得る支持アーム１３の前端部（駆動ローラ１１の枢支部）を第２スライドレバー３２の前後移動に応じて上下方向に揺動させるためのものである。例えば図４の可動基板２１のロック状態（ディスク５の未挿入）では、ガイドスロット３２ｅは、支持アーム１３の前端部を上げた状態に保持するようにピン１３ｂを位置させる下側段部と、第２スライドレバー３２の前側移動により支持アーム１３の前端部を下げるようにピン１３ｂをガイドする傾斜部分と、支持アーム１３の下がった状態を保持するようにピン１３ｂを位置させるべく上側段部とを有するように形成されている。また、他方の支持アーム１３も同様に揺動運動させるべく、例えば図１０に示されるように、移動板３５にも対称形のガイドスロット３５ｂが形成されている。
【００５３】
次に、その可動基板２１に対する係合／離脱構造について説明する。図８及び図９に示されるように、可動基板２１の前側の辺となる部分には、下側に折り曲げられかつ左右方向に延在する左右一対の板状係止片４３ａと、それら両板状係止片４３ａの間にて左右方向に延在しかつ下側に階段状に折り曲げられた階段状係止片４３ｂと、左側端部近傍にて平面視で前側に開口するＵ字状の溝を有するように下側に折り曲げられてから前側に延出する前向きＵ字状係止片４３ｃとが設けられている。
【００５４】
可動基板２１の右側の辺となる部分には、後端部近傍に下側に折り曲げられてから右側に延出するＬ字状係止片４３ｄが設けられている。また、可動基板２１の下面には、Ｌ字状係止片４３ｄの近傍に前側に開口するU字状壁を有する係止ブロック４３ｅが設けられている。また、可動基板２１の左側の辺となる部分には、左側面視で横向きＵ字状の前側に開口する溝を有するように下側に折り曲げられた横向きＵ字状係止片４３ｆが設けられている。さらに、可動基板２１の後側の辺となる部分には、右側端部近傍に、正面視で横向きＵ字状の左側に開口する溝を有するように下側に折り曲げられた横向きＵ字状係止片４３ｇと、その横向きＵ字状係止片４３ｇの右側にて下側に折り曲げられて前後方向に延在しかつ斜め前側延出する板状係止片４３ｈとが設けられている。
【００５５】
可動基板２１のロック状態に対応する図１１を参照して、図９に示される各係止片４３ａ〜４３ｄ・４３ｆ〜４３ｈおよび係止ブロック４３ｅに対して係合し得るロック部材としての第２スライドレバー３２と各ロックレバー３３・３４と移動板３５とに設けられた各係合構造について説明する。
【００５６】
第１ロックレバー３３には、一対の板状係止片４３ａを前後方向に挟み込むように係合するべく右側スライド方向に開口するＹ字溝を有する係止爪４４ａと、階段状係止片４３ｂを上側から押さえ込むように係合するべく右側スライド方向に開放された横向きＬ字状係止爪４４ｂとが設けられている。移動板３５には、前向きＵ字状係止片４３ｃのＵ字溝に首部が入り込んだ状態で上側から押さえ込むように係合する拡頭係合ピン４４ｃが設けられている。
【００５７】
第２スライドレバー３２の右側縁部には、Ｌ字状係止片４３ｄをロック位置では上側から押さえ込むように係合し、前側スライドにより係合が解除されるように、中間部から立ち上がってＬ字状係止片４３ｄの上側を後方に向けて横切って所定長延在する後方延出係止爪４４ｄが設けられている。また、第２スライドレバー３２の左側側縁の中間部近傍には、係止ブロック４３ｅを下方に向けて押さえ込む形となるＴ字状係止爪４４ｅが立設状態に設けられている。なお、係止ブロック４３ｅのＵ字状壁は、Ｔ字状係止爪４４ｅの左右延出部分を受容する幅で形成され、かつその受容状態の左右延出部分と係合する内向顎部を有する。したがって、係止ブロック４３ｅのＵ字状壁内にＴ字状係止爪４４ｅが受容された状態（ロック状態）では、係止ブロック４３ｅの内向顎部の上面部分にＴ字状係止爪４４ｅの左右延出部分が係合する。
【００５８】
移動板３５の後側端部には、Ｕ字状係止片４３ｆの下側延出部と係合する係止孔を有する立設状態の孔開き係止爪４４ｆが設けられている。また、第２ロックレバー３４には、横向きＵ字状係止片４３ｇを前後方向に挟み込むように係合するべく右側スライド方向に開口するＹ字溝を有する係止爪４４ｇが設けられている。また、第２スライドレバー３２の後端部には、板状係止片４３ｈの前後方向に延在する部分の右側面と係合するように立設状態に設けられた縦壁状係合爪４４ｈが設けられている。なお、板状係止片４３ｈには、第２スライドレバー３２が前側に移動して縦壁状係合爪４４ｈとの係合状態が解除された位置から、第２スライドレバー３２が後側に移動した場合に確実に縦壁状係合爪４４ｈと係合するために斜めに延在するガイド面が形成されている。
【００５９】
このようにして、可動基板２１に設けられた各係止片４３ａ〜４３ｄ・４３ｆ〜４３ｈおよび係止ブロック４３ｅと、第２スライドレバー３２と各ロックレバー３３・３４と移動板３５とにより、可動基板２１をロックまたは解除のいずれかの状態にするための選択的固定手段が設けられている。
【００６０】
上記したように、係止爪４４ａと板状係止片４３ａとの係合により可動基板２１の前側部分における前後方向及び左方向ロックが、横向きＬ字状係止爪４４ｂと階段状係止片４３ｂとの係合により可動基板２１の前側部分における左方向ロック及び上方向ロックが、拡頭係合ピン４４ｃとＵ字状係止片４３ｃとの係合により可動基板２１の左前側部分における前方向及び左右方向ロックが、孔開き係止爪４４ｆとＵ字状係止片４３ｆとの係合により可動基板２１の左側部分における前方向及び上方向ロックが、係止爪４４ｇと横向きＵ字状係止片４３ｇとの係合により可動基板２１の後側部分における左方向ロックがそれぞれ行われる。このようにして、可動基板２１は、ロック状態では、前後左右の各部分で前後左右かつ上下の各方向に対して固定され、挿入されるディスクの収容位置に対する位置決めを高精度化し得る。なお、可動基板２１のロックにおいて、本図示例では上記したように前後左右の４個所でロックするようにしているが、前後左右の全てでロックする必要はなく、前後左右における任意の３個所の組み合わせでロックするようにしても良い。３個所だけでのロックであっても十分確実な固定状態が得られる。
【００６１】
図１１は可動基板２１がロックされている状態に対応する各スライドレバー３１・３２と各ロックレバー３３・３４と移動板３５とが示されている。上記したように、ディスク５が挿入されると、一対のピン８が左右に押し拡げられてモータ起動スイッチ１６ａがオンして、電動モータ１４が駆動し、シャーシ２の後側の奥までディスク５が搬送されることにより、矢印Ｂに示されるようにディスク５の周縁部の挿入方向側がトリガレバー３８の他端部３８ｂに当接してトリガレバー３８が矢印Ｃの向きに回動し、それによりトリガレバー３８の係合片３８ａが第１スライドレバー３１の突部３１ｂを前側に押して、第１スライドレバー３１が前側に移動する。第１スライドレバー３１はトリガレバー３８により所定量前側に押し出されると、ラック軸部３１ａが小径ギア３６ｂと噛み合い、電動モータ１４により駆動されている小径ギア３６ｂの回転力により、第１スライドレバー３１はさらに前側に移動する。
【００６２】
図１２（ａ）・（ｂ）にそれぞれ対応する図１３（ａ）・（ｂ）に示されるように、第１スライドレバー３１の前側移動により、ロック部材４１と一体の上下方向ピン４２がカム溝３１ｃによりガイドされて右側に移動し、上下方向ピン４２の下側ピン部が係脱カムスロット２ｂのストッパ部分から前後方向部分に移動し、第２スライドレバー３２のシャーシ２との間のロック状態が解除される。その後、第１スライドレバー３１のラック軸部３１ａは小径ギア３６ｂに噛み合い得るようになっている。これにより、第２スライドレバー３２がディスク５の挿入途中で早めに前側に移動することが防止され、ディスク５のクランプが早まってしまうような誤動作が生じることがない。
【００６３】
図１１に示されるように第１スライドレバー３１が小径ギア３６ｂに駆動されて前側に移動することにより、前後方向スロット３１ｄの後端が突軸３２ａと係合し、第２スライドレバー３２が第１スライドレバー３１により押されるようにして前側に移動する。この第２スライドレバー３２の前側移動により、第１ロックレバー３３が左側に移動し、それにより移動板３５も前側に移動し、さらに第２ロックレバー３４が左側に移動する。
【００６４】
第２スライドレバー３２の前側移動により、後方延出係止爪４４ｄとＬ字状係止片４３ｄとの係合が解除され、かつＴ字状係止爪４４ｅと係止ブロック４３ｅとの係合が解除される。これにより、可動基板２１の上方向ロックが解除される。
【００６５】
第１ロックレバーの左側移動により、係止爪４４ａと板状係止片４３ａとの係合が解除されて、可動基板２１の前側部分における前後方向及び左方向ロックが解除され、横向きＬ字状係止爪４４ｂと階段状係止片４３ｂとの係合が解除されて、可動基板２１の前側部分における左方向ロック及び上方向ロックが解除される。
【００６６】
移動板３５の前側移動により、拡頭係合ピン４４ｃとＵ字状係止片４３ｃとの係合が解除されて、可動基板２１の左前側部分における前方向及び左右方向ロックが解除され、かつ孔開き係止爪４４ｆとＵ字状係止片４３ｆとの係合が解除されて、可動基板２１の左側部分における前方向及び上方向ロックが解除される。
【００６７】
第２ロックレバー３４の左側移動により、係止爪４４ｇと横向きＵ字状係止片４３ｇとの係合が解除されて、可動基板２１の後側部分における左方向ロックが解除される。
（ディスクの二重挿入防止構造）
【００６８】
次に、ディスク５の二重挿入防止について説明する。図１４に示すように、ディスク挿入口４の装置内側には左右一対のリンク部材５１が、シャーシ２の前面パネル２ａに沿って左右方向に延在しかつ左右対称形に配置されている。
【００６９】
両リンク部材５１は、それぞれ左右方向に延在する長尺部分の中間部を枢支部材５２を介して前面パネル２ａにより枢支され、各枢支部材５２に対して中央側端部同士が回動自在に連結され、互いに相反する側にはディスク挿入口４を下方から横切る向きに曲折された各立ち上がり片５１ａが設けられている。ディスク５の未挿入状態では図１４（ａ）に示されるように、両立ち上がり片５１ａはディスク挿入口４の下方に位置し、ディスク５の挿入を可能にしている。
【００７０】
なお、図１０に示されるように、駆動ローラ１１の下側には、左右一対の支持アーム１３に一体的に左右端を支持された形のガイド部材としてのガイド板５３が設けられている。ガイド板５３の前側中央部分には前方下側に向けて曲折された舌片部５３ａが形成されている。
【００７１】
両リンク部材５１の一方（図では左側）の他方との連結部分には後側に延出する延出部５１ｂが一体的に設けられている。延出部５１ｂは、舌片部５３ａの下側に位置しており、舌片部５３ａすなわちガイド板５３の下降変位により押し下げれるようになっている。延出部５１ｂが押し下げられると、両リンク部材５１の連結部分が下側に変位するため、各枢支部材５２を介して支点として両リンク部材５１が揺動し、その揺動により、各リンク部材５１の互いに相反する側の各立ち上がり片５１ａが上側に変位して、図１４（ｂ）に示されるようにディスク挿入口４を横切る状態になる（図７参照）。これにより、ディスク５の二重挿入が防止される。
【００７２】
なお、枢支部材５２とリンク部材５１との間には、立ち上がり片５１ａがディスク挿入口４の下側に位置する向きにリンク部材５１をばね付勢する例えばねじりコイルばねが介装されている。したがって、ガイド板５３が下降していない状態では立ち上がり片５１ａによるディスク挿入口４を遮ることがない。
【００７３】
以上で具体的実施形態についての説明を終えるが、本発明はこれらの実施形態に限定されるものではない。例えば、上記実施形態でのディスクドライブ装置としては、ＣＤやＤＶＤ、あるいはブルーレイディスク等のその他の光ディスクを対象とするものであってもよい。また、各部材の形状や配置など、本発明の趣旨を逸脱しない範囲であれば適宜変更可能である。
【符号の説明】
【００７４】
１  ディスク駆動装置
２  シャーシ
４  ディスク挿入口
１１  駆動ローラ
１２  従動ローラ
１７  ガイド片
１８  トーションバネ
２１  可動基板
３１  第１スライドレバー
３２  第２スライドレバー
３３  第１ロックレバー
３４  第２ロックレバー
３５  移動板
４３ａ〜４３ｄ・４３ｆ〜４３ｈ  係止片
４３ｅ  係止ブロック
４４ａ・４４ｂ・４４ｄ〜４４ｈ  係止爪
４４ｃ  係止ピン
５１  リンク部材、５１ａ  立ち上がり片
５２  枢支部材
５３  ガイド板
【図１】
2010272180.tif 000003
【図２】
2010272180.tif 000004
【図３】
2010272180.tif 000005
【図４】
2010272180.tif 000006
【図５】
2010272180.tif 000007
【図６】
2010272180.tif 000008
【図７】
2010272180.tif 000009
【図８】
2010272180.tif 000010
【図９】
2010272180.tif 000011
【図１０】
2010272180.tif 000012
【図１１】
2010272180.tif 000013
【図１２】
2010272180.tif 000014
【図１３】
2010272180.tif 000015
【図１４】
2010272180.tif 000016